(57)【特許請求の範囲】
【請求項１】
前端が鋭利な針管と、該針管の後端部を支持し、後端に可撓性チューブを接続する接続管部が設けられたハブとから成る針本体と、
該針本体を収納可能な筒状のプロテクタと、
該プロテクタに内蔵され、前記針本体を該プロテクタに対し後方に付勢する付勢部材と、
前記針本体を、前記針管が前記プロテクタの前端から突出する使用位置に前記付勢部材の付勢力に抗して解除自在に係止する係止機構とを備え、
該係止機構による係止を解除することで前記針本体が前記付勢部材の付勢力で後方に移動して、前記針管の前端が前記プロテクタ内に収納されるようにしたプロテクタ付き医療用針において、
前記プロテクタは、筒状のプロテクタ本体と、該プロテクタ本体の上方外周に形成された前端から軸方向に延びる切欠部と、該切欠部に配置された閉塞部材とを備え、
該閉塞部材の後端部には、外方に延びる把持部が形成され、
前記係止機構は、前記閉塞部材に設けられた係止片と、該係止片と係合するように前記ハブに形成された係合部とからなり、
前記閉塞部材と前記プロテクタ本体との一方には、横方向に突出する突部が形成され、他方には、該突部と嵌合する嵌合部が形成され、
前記把持部を上げることにより前記係止片と前記係合部との係合が解除されて、前記付勢部材の付勢力によって、前記針本体が前記プロテクタに収納されると共に、前記閉塞部材が前記突部を軸に回転して前記プロテクタ本体の前方開口部を覆い、
前記嵌合部は、前記閉塞部材が前記プロテクタ本体に対して前後方向にスライド可能となるように、前後方向に延びて形成され、
前記閉塞部材が前記プロテクタ本体に対してスライド方向後方に位置するときには、前記閉塞部材の前方下端部は前記プロテクタ本体と当接して、前記閉塞部材の回転が阻止され、
前記閉塞部材が前記プロテクタ本体に対してスライド方向前方に位置するときには、前記閉塞部材の前方下端部と前記プロテクタ本体との当接が解除され、前記閉塞部材の回転が許容され、
前記係止片は、前記閉塞部材が前記スライド方向後方に位置するときに、前記係合部と係合していることを特徴とするプロテクタ付き医療用針。
【請求項２】
請求項１記載のプロテクタ付き医療用針において、
前記係止片の下端部には爪部が設けられ、
該爪部は、前記接続管部の下面と解除自在に係合することを特徴とするプロテクタ付き医療用針。
【請求項３】
請求項１又は請求項２記載のプロテクタ付き医療用針において、
前記閉塞部材には、前記切欠部から前記プロテクタ本体の内周面に沿うように延びる挿入部が設けられ、
前記突部は、該挿入部に設けられ、
前記嵌合部は、前記プロテクタ本体の内周面に設けられることを特徴とするプロテクタ付き医療用針。
【請求項４】
請求項１から請求項３の何れか１項に記載のプロテクタ付き医療用針において、
把持部の段差部と、切欠部の段差部とが係合して、前記閉塞部材の前方へのスライドが阻止され、
把持部を上げて係止片と係合部との係合が解除されるときに、段差部の係合が解除されることを特徴とするプロテクタ付き医療用針。
【発明の詳細な説明】
【技術分野】
【０００１】
本発明は、針使用後の誤刺を防止できるようにしたプロテクタ付き医療用針に関する。
【背景技術】
【０００２】
従来、前端が鋭利な針管と、針管の後端部を支持し、後端に可撓性チューブを接続する接続管部が設けられたハブとから成る針本体と、針本体を収納可能な筒状のプロテクタと、プロテクタに内蔵され、針本体をプロテクタに対し後方に付勢するコイルスプリングからなる付勢部材と、針本体を針管がプロテクタの先端から突出する使用位置に付勢部材の付勢力に抗して係止自在な係止機構とを備えるプロテクタ付き医療用針が知られている（例えば、特許文献１参照）。
【０００３】
この特許文献１のものでは、針使用後に係止機構による係止を解除すると、針本体が付勢部材の付勢力により後方に移動して、針管の前端がプロテクタ内に没入され、医療従事者や廃棄を行う作業者に誤って針が刺さる誤刺を防止することができる。
【０００４】
ここで、上記従来例では、ハブの外周に設けられた段差と、プロテクタの後端に設けられたストッパ部とが係合することにより、一旦プロテクタ内に収納された針本体が再度プロテクタから突出することを防止している。
【先行技術文献】
【特許文献】
【０００５】
【特許文献１】特開２００９−１９５５５２号公報
【発明の概要】
【発明が解決しようとする課題】
【０００６】
上記従来例では、ハブの段差と、プロテクタのストッパ部とを係合させることにより、針本体がプロテクタから再度突出することを防止しているが、プロテクタの前端は開口したままの状態であり、又、段差とストッパ部とが係合しているか否かは位置的に目視で確認し難い。
【０００７】
そこで、段差とストッパ部とを係合させると共に、又はこれに代えて、プロテクタの前端にキャップを嵌めれば、プロテクタの前端の開口が閉塞されるため、針本体の再度の突出が防がれていることが一目瞭然となるが、キャップを嵌める作業に手間を要する。
【０００８】
本発明は、以上の点に鑑み、容易に針本体の再度の突出を防止できると共に、突出防止状態であることを容易に確認することができるプロテクタ付き医療用針を提供することを目的とする。
【課題を解決するための手段】
【０００９】
［１］上記目的を達成するため、本発明は、前端が鋭利な針管と、該針管の後端部を支持し、後端に可撓性チューブを接続する接続管部が設けられたハブとから成る針本体と、該針本体を収納可能な筒状のプロテクタと、該プロテクタに内蔵され、前記針本体を該プロテクタに対し後方に付勢する付勢部材と、前記針本体を、前記針管が前記プロテクタの前端から突出する使用位置に前記付勢部材の付勢力に抗して解除自在に係止する係止機構とを備え、該係止機構による係止を解除することで前記針本体が前記付勢部材の付勢力で後方に移動して、前記針管の前端が前記プロテクタ内に収納されるようにしたプロテクタ付き医療用針を、以下の如く改良している。
【００１０】
即ち、本発明においては、前記プロテクタは、筒状のプロテクタ本体と、該プロテクタ本体の上方外周に形成された前端から軸方向に延びる切欠部と、該切欠部に配置された閉塞部材とを備え、該閉塞部材の後端部には、外方に延びる把持部が形成され、前記係止機構は、前記閉塞部材に設けられた係止片と、該係止片と係合するように前記ハブに形成された係合部とからなり、前記閉塞部材と前記プロテクタ本体との一方には、横方向に突出する突部が形成され、他方には、該突部と嵌合する嵌合部が形成され、前記把持部を上げることにより前記係止片と前記係合部との係合が解除されて、前記付勢部材の付勢力によって、前記針本体が前記プロテクタに収納されると共に、前記閉塞部材が前記突部を軸に回転して前記プロテクタ本体の前方開口部を覆い、前記嵌合部は、前記閉塞部材が前記プロテクタ本体に対して前後方向にスライド可能となるように、前後方向に延びて形成され、前記閉塞部材が前記プロテクタ本体に対してスライド方向後方に位置するときには、前記閉塞部材の前方下端部は前記プロテクタ本体と当接して、前記閉塞部材の回転が阻止され、前記閉塞部材が前記プロテクタ本体に対してスライド方向前方に位置するときには、前記閉塞部材の前方下端部と前記プロテクタ本体との当接が解除され、前記閉塞部材の回転が許容され、前記係止片は、前記閉塞部材が前記スライド方向後方に位置するときに、前記係合部と係合していることを特徴とする。
【００１１】
本発明によれば、閉塞部材によりプロテクタ本体の前方開口部を覆うため、閉塞部材の把持部を上げて針本体をプロテクタ本体内に収容する作業に連動して、プロテクタ本体の前方開口部を閉塞させることができる。これにより、プロテクタの前方開口部の閉塞作業が容易であると共に、針本体の再突出が防止された状態であることを容易に確認することができる。
【００１２】
また、本発明においては、嵌合部を閉塞部材がプロテクタ本体に対して前後方向にスライド可能となるように前後方向に延びて形成し、閉塞部材がプロテクタ本体に対してスライド方向後方に位置するときには、閉塞部材の前方下端部はプロテクタ本体と当接して閉塞部材の回転が阻止され、閉塞部材がプロテクタ本体に対してスライド方向前方に位置するときには、閉塞部材の前方下端部とプロテクタ本体との当接が解除されて閉塞部材の回転が許容され、閉塞部材がスライド方向後方に位置するときに、係止片は係合部と係合している。
【００１３】
仮に、係止片と係合部との係合が解除されると同時に閉塞部材が回転するとなると、閉塞部材の前端部が針本体と接触して針本体のプロテクタへの収納動作が阻害される虞がある。上述の如く構成することにより、係止片と係合部との係合を解除しても、閉塞部材をスライドさせなければ、閉塞部材は回転できないため、針本体のプロテクタ内への収納動作が阻害されることを確実に防止することができる。
【００１４】
［２］本発明においては、係止片の下端部に爪部を設け、爪部を接続管部の下面と解除自在に係合させることが好ましい。
【００１５】
これにより、閉塞部材の把持部が何かに引っ掛かるなどしても、係止片と係合部との係合が解除され難くなり、意図せずに針本体がプロテクタに収納されることを防止できる。
【００１６】
［３］本発明においては、閉塞部材に切欠部からプロテクタ本体の内周面に沿うように延びる挿入部を設け、突部を挿入部に設け、嵌合部をプロテクタ本体の内周面に設けることができる。
［４］また、本発明においては、把持部の段差部と、切欠部の段差部とが係合して、閉塞部材の前方へのスライドが阻止され、把持部を上げて係止片と係合部との係合が解除されるときに、段差部の係合が解除されるように構成されることが好ましい。
【図面の簡単な説明】
【００１７】
【図１】本発明のプロテクタ付き医療用針の実施形態を示す斜視図。
【図２】本実施形態のプロテクタ付き医療用針を示す断面図。
【図３】本実施形態の閉塞部材の回転阻止構造を示す断面図。
【図４】（ａ）は本実施形態の突部と嵌合部との嵌合状態を示す図３のＡ−Ａ線断面図。（ｂ）は本実施形態の爪部の係合状態を示す図３のＢ−Ｂ線断面図。
【図５】本実施形態の閉塞部材のスライド阻止構造を示す説明図。
【図６】本実施形態のプロテクタ付き医療用針の係止片と係合部との係合を解除した状態と示す説明図。
【図７】本実施形態の閉塞部材を前方へスライドさせた状態を示す説明図。
【図８】本実施形態のプロテクタ付き医療用針のプロテクタの前方開口部を閉塞した状態を示す説明図。
【図９】本実施形態のプロテクタ付き医療用針の閉塞状態における回転阻止構造を示す説明図。
【発明を実施するための形態】
【００１８】
図１から図９は本発明の実施形態のプロテクタ付き医療用針を示している。図１に示すように、この医療用針は、前端が鋭利な金属製の針管２と、針管２の後端部を支持するハブ３とから成る針本体１と、針本体１を収納可能な筒状のプロテクタ４とを備えている。
【００１９】
ハブ３は、ＡＢＳ等の硬質樹脂で形成されている。図２に示すように、ハブ３の後端には接続管部３１が一体成形されており、接続管部３１に薬液注入用の可撓性チューブ５の前端部が外嵌接続されている。また、ハブ３には、接続管部３１の前方に位置させて、径方向外方に張り出すフランジ部３２（係合部）が一体成形されている。
【００２０】
プロテクタ４は、その上方前端から後方向に延びる切欠部４１ａを有する筒状のプロテクタ本体４１と、プロテクタ本体４１の前端開口を閉塞するための、プロテクタ本体４１の前端側から切欠部４１ａに沿って後方に延びる閉塞部材４２とを備える。閉塞部材４２は、ポリプロピレン等の弾力性を有する樹脂で形成されており、その後端部には把持部４２ａが設けられている。
【００２１】
図１及び図５に示すように、把持部４２ａは幅広に形成されており、これによって把持部４２ａの前端両側縁部分には一対の段差部４２ｆが形成されている。これに対応するように、切欠部４１ａも後端部分が幅広に切り欠かれており、これによって、把持部４２ａの段差部４２ｆと夫々係合する一対の段差部４１ｄが形成されている。把持部４２ａの段差部４２ｆと切欠部４１ａの段差部４１ｄとが係合することにより、閉塞部材４２の前方へのスライドが阻止されている。
【００２２】
図３及び図４（ａ）に示すように、閉塞部材４２には、切欠部４１ａからプロテクタ本体４１の内周面に沿うように延びる挿入部４４が設けられている。挿入部４４には横方向に突出する一対の突部４２ｄが設けられている。又、プロテクタ本体４１には、両突部４２ｄに対応させて前後方向に延びる嵌合部４１ｂが設けられている。尚、図では、嵌合部４１ｂはプロテクタ本体４１の周壁を貫通する貫通孔として示しているが、嵌合部４１ｂは突部４２ｄを前後方向に案内すると共に前端部で閉塞部材４２が回転できるように構成されていればよい。従って、必ずしもプロテクタ本体４１の側壁を貫通している必要はなく、前後方向に延びる溝状に形成してもよい。
【００２３】
閉塞部材４２の前端部には、アーチ状のアーチ部４２ｅが形成されており、アーチ部４２ｅの下端縁は、プロテクタ本体４１の底面から前方に延びる舌片部４１ｃに当接している。閉塞部材４２は、段差部４１ｄ，４２ｆの係合を解除した状態で、嵌合部４１ｂに沿って突部４２ｄを前方に移動させるようにして、前方にスライドすることができる。そして、閉塞部材４２が前方にスライドしたときには、アーチ部４２ｅが舌片部４１ｃよりも前方に位置し、アーチ部４２ｅの下端縁と舌片部４１ｃとの当接が解除された状態となる。これにより、閉塞部材４２は突部４２ｄを中心に回転することができるようになる。
【００２４】
プロテクタ本体４１の前部には、外方に張り出す一対の翼片４３，４３が一体成形されている。また、プロテクタ４には、ハブ３のフランジ部３２に前方から当接するコイルスプリングから成る付勢部材６が内蔵されている。そして、付勢部材６により針本体１が後方に付勢されるようにしている。
【００２５】
把持部４２ａには、切欠部４１ａからプロテクタ本体４１の内部空間に挿入されて、針本体１を針管２がプロテクタ４の前端から突出する使用位置（図１、図２に示す位置）に付勢部材６の付勢力に抗して係止自在な係止機構たる二股状の係止片４２ｂが設けられている。係止片４２ｂは、針本体１が使用位置に存する状態で、ハブ３のフランジ部３２の後面に係合している。本実施形態では、フランジ部３２が本発明の係合部に該当する。
【００２６】
二股状の係止片４２ｂの下端部には、互いに接近するように内方へ突出する爪部４５が設けられている。爪部４５は、ハブ３に下方から解除自在に係合している。これにより、把持部４２ａを上方に上げるにはある程度の力が必要となり、係止片４２ｂとフランジ部３２との係合が意図せずに解除されることを防止できる。又、係止片４２ｂの外側面には、段部４６が設けられている。この段部４６は、閉塞部材４２でプロテクタ本体４１の前方開口部を閉塞する際に、この閉塞状態を維持するために用いられるものであり、詳細については後述する。
【００２７】
尚、アーチ部４２ｅの前端には、付勢部材６の前端が当接する受け部４２ｃが形成されている。そして、針本体１と付勢部材６とのサブアッセンブリを、付勢部材６の前端が受け部４２ｃに当接し、ハブ３のフランジ部３２の後面が係止片４２ｂに当接するように閉塞部材４２に組付けて、プロテクタ付き医療用針を組立てる。
【００２８】
この医療用針の組立状態では、閉塞部材４２の係止片４２ｂにより針本体１が使用位置に保持される。そして、プロテクタ４の前端から突出する針管２を患者に穿刺した後、翼片４３を利用して針本体１をプロテクタ４ごと患者の皮膚に固定し、点滴等を行う。
【００２９】
針使用後は、図６に示す如く、把持部４２ａを上方に上げて、係止片４２ｂをフランジ部３２から離脱させる。すると、付勢部材６の付勢力により針本体１がプロテクタ４に対し後方に移動し、針管２の前端がプロテクタ４内に収納される。このとき、アーチ部４２ｅの下端縁がプロテクタ本体４１の舌片部４１ｃに当接しているため、閉塞部材４２の回転は阻止されており、針本体１のプロテクタ本体４１への収納動作が阻害されることを確実に防止できる。
【００３０】
そして、図７に示すように、把持部４２ａを把持したまま、閉塞部材４２を前方に押圧すると、突部４２ｄが嵌合部４１ｂに沿って前方に移動し、閉塞部材４２が前方にスライドする。そして、アーチ部４２ｅと舌片部４１ｃとの当接を解除した後、図８に示すように、把持部４２ａを更に上方に上げることにより、閉塞部材４２が突部４２ｄを軸に回転して、閉塞部材４２により、プロテクタ本体４１の前方開口部が閉塞される。
【００３１】
このとき、アーチ部４２ｅの後端面が舌片部４１ｃの先端に当接し、閉塞部材４２の後方へのスライドが阻止される。また、把持部４２ａは自己の弾性による復元力により元の形状に戻ろうとする力が働き、係止片４２ｂの段部４６が切欠部４１ａの幅が狭い部分の側縁に上方から係止される。これにより、閉塞部材４２の回転が阻止され、閉塞部材４２によるプロテクタ本体４１の前方開口部の閉塞が解除されることを阻止している。
【００３２】
本実施形態のプロテクタ付き医療用針によれば、閉塞部材４２によりプロテクタ本体４１の前方開口部を覆うため、閉塞部材４２の把持部４２ａを上げて針本体１をプロテクタ本体４１内に収容する作業に連動して、プロテクタ本体４１の前方開口部を閉塞させることができる。これにより、プロテクタ４の前方開口部の閉塞作業が容易であると共に、針本体１の再突出が防止された状態であることを容易に確認することができる。
【００３３】
以上、本発明の実施形態の医療用針について図面を参照して説明したが、本発明はこれに限定されない。例えば、上記実施形態では、翼片４３付きのプロテクタ４を用いたが、翼片の無いプロテクタを用いることも可能である。
【００３４】
また、上記実施形態では、閉塞部材４２に突部４２ｄ、プロテクタ本体４１に突部４２ｄと嵌合する嵌合部４１ｂを設けているが、本発明はこれに限らず、プロテクタ本体４１に突部、閉塞部材４２に突部と嵌合する嵌合部を設けてもよい。
【符号の説明】
【００３５】
１…針本体、２…針管、３…ハブ、３１…接続管部、３２…フランジ部（係合部）、４…プロテクタ、４１…プロテクタ本体、４１ａ…切欠部、４１ｂ…嵌合部、４１ｃ…舌片部、４１ｄ…段差部、４２…閉塞部材、４２ａ…把持部、４２ｂ…係止片、４２ｃ…受け部、４２ｄ…突部、４２ｅ…アーチ部、４２ｆ…段差部、４３…翼片、４４…挿入部、４５…爪部、４６…段部、５…可撓性チューブ、６…付勢部材（コイルスプリング）。
【図１】
0005818512.tif 000002
【図２】
0005818512.tif 000003
【図３】
0005818512.tif 000004
【図４】
0005818512.tif 000005
【図５】
0005818512.tif 000006
【図６】
0005818512.tif 000007
【図７】
0005818512.tif 000008
【図８】
0005818512.tif 000009
【図９】
0005818512.tif 000010